(57)【要約】【課題】紙葉類処理装置を利用して大量枚数の紙葉類を効率よく準備する。【解決手段】紙葉類処理装置を、紙葉類を集積する集積部と、集積部に集積可能な最大集積枚数を超える枚数の指定を、集積部に集積する紙幣のバッチ枚数として受け付けて、集積部から抜き取った紙葉類の枚数と集積部に集積中の紙葉類の枚数との合計枚数がバッチ枚数に達するまで集積部へ紙葉類を集積する制御部とによって構成する。【選択図】図１
2017059222.tif 000002
【特許請求の範囲】
【請求項１】
紙葉類を集積する集積部と、
前記集積部に集積可能な最大集積枚数を超える枚数の指定を、前記集積部に集積する紙葉類のバッチ枚数として受け付けて、前記集積部から抜き取った紙葉類の枚数と前記集積部に集積中の紙葉類の枚数との合計枚数が前記バッチ枚数に達するまで前記集積部へ紙葉類を集積する制御部と
を備えることを特徴とする紙葉類処理装置。
【請求項２】
前記制御部は、指定された１つの集積部に紙葉類を集積して、集積中の紙葉類の枚数が前記集積部の最大集積枚数に達した場合には、前記集積部への紙葉類の集積を一旦停止して、前記集積部から集積中の紙葉類が抜き取られると前記集積部への紙葉類の集積を再開することにより前記バッチ枚数分の紙葉類を集積することを特徴とする請求項１に記載の紙葉類処理装置。
【請求項３】
前記制御部は、指定された複数集積部の１つに紙葉類を集積して、集積中の紙葉類の枚数が前記集積部の最大集積枚数に達した場合には、前記集積部への紙葉類の集積を停止して、前記複数集積部のうち紙葉類を集積可能な別の集積部で紙葉類の集積を継続することにより前記バッチ枚数分の紙葉類を集積することを特徴とする請求項１に記載の紙葉類処理装置。
【請求項４】
前記制御部は、集積停止枚数の指定を受け付けて、紙葉類を集積している集積部で集積中の紙葉類の枚数が前記集積停止枚数に達した場合には、前記集積部への紙葉類の集積を停止して、前記集積部から集積中の紙葉類が抜き取られると再び前記集積部を紙葉類の集積先として利用することを特徴とする請求項１〜３のいずれか１項に記載の紙葉類処理装置。
【請求項５】
前記集積部に集積する紙幣に関する情報を表示する表示部
をさらに備え、
複数集積部を利用してバッチ処理を実行する際に、前記複数集積部のそれぞれから前記集積停止枚数の紙幣を抜き取った抜取回数を示す情報を前記表示部に表示する
ことを特徴とする請求項４に記載の紙葉類処理装置。
【請求項６】
前記制御部は、紙葉類を集積している集積部で、集積中の紙葉類の枚数が前記集積部の最大集積枚数に達する前に、集積中の紙葉類が抜き取られた場合には、前記集積部への紙葉類の集積を停止せずに連続して行うことを特徴とする請求項１〜５のいずれか１項に記載の紙葉類処理装置。
【請求項７】
前記制御部は、集積部から紙葉類を抜き取る必要が生じた場合には、抜き取りが必要な前記集積部の位置を報知することを特徴とする請求項１〜６のいずれか１項に記載の紙葉類処理装置。
【発明の詳細な説明】
【技術分野】
【０００１】
この発明は紙葉類の種類を識別して所定種類の紙葉類を集積部に集積する紙葉類処理装置に関する。
【背景技術】
【０００２】
従来、紙葉類の種類を識別して所定種類の紙葉類を集積部に集積する紙葉類処理装置が利用されている。例えば、特許文献１に記載された紙幣処理装置では、紙幣の金種、正損、真偽等を識別して複数の集積部に種類別に分類して集積することができる。
【０００３】
また、この紙幣処理装置では、集積部に集積中の紙幣の集積枚数が予め指定された１００枚に達すると、紙幣の集積を停止するバッチ処理を実行することができる。具体的には、紙幣を１枚ずつ装置内に取り込んで識別部で識別し、所定種類の紙幣を集積部に集積する。そして、集積部に集積中の紙幣の枚数が１００枚に達すると紙幣の集積を停止する。例えば、同一金種の紙幣を１００枚ずつ束にしたい場合に、バッチ処理を実行すれば、所定金種の紙幣だけを１００枚ずつ集積部に集積して束を作成することができる。
【先行技術文献】
【特許文献】
【０００４】
【特許文献１】国際公開２００８−０９６４３２号
【発明の概要】
【発明が解決しようとする課題】
【０００５】
しかしながら、上記従来技術によれば、大量枚数の紙幣を準備する紙幣処理を効率よく行えない場合があった。例えば、ＡＴＭ（自動現金預払機）で利用する紙幣を収納するＡＴＭカセット用に紙幣を準備する場合には、２０００枚又は３０００枚というように１０００枚単位で、状態のよい紙幣を準備する必要がある。このため、状態のよい紙幣を選んで１００枚ずつ集積部に集積するバッチ処理を実行しても、集積部に集積された１００枚の紙幣を抜き取ってＡＴＭカセットに詰める作業を何回も繰り返さなければならない。また、１００枚の紙幣が集積される度に、紙幣を識別して集積する処理を停止する必要があるため、全ての紙幣をＡＴＭカセットに詰めるまでに時間がかかる上に、紙幣の抜き取りを繰り返しているうちにＡＴＭカセットに何枚の紙幣を詰めたのかが分からなくなる場合があった。
【０００６】
本発明は、上述した従来技術による問題点を解消するためになされたもので、大量枚数の紙葉類を効率よく準備することができる紙葉類処理装置を提供することを目的とする。
【課題を解決するための手段】
【０００７】
上述した課題を解決し、目的を達成するため、本発明は、紙葉類処理装置であって、紙葉類を集積する集積部と、前記集積部に集積可能な最大集積枚数を超える枚数の指定を、前記集積部に集積する紙葉類のバッチ枚数として受け付けて、前記集積部から抜き取った紙葉類の枚数と前記集積部に集積中の紙葉類の枚数との合計枚数が前記バッチ枚数に達するまで前記集積部へ紙葉類を集積する制御部とを備えることを特徴とする。
【０００８】
また、本発明は、上記発明において、前記制御部は、指定された１つの集積部に紙葉類を集積して、集積中の紙葉類の枚数が前記集積部の最大集積枚数に達した場合には、前記集積部への紙葉類の集積を一旦停止して、前記集積部から集積中の紙葉類が抜き取られると前記集積部への紙葉類の集積を再開することにより前記バッチ枚数分の紙葉類を集積することを特徴とする。
【０００９】
また、本発明は、上記発明において、前記制御部は、指定された複数集積部の１つに紙葉類を集積して、集積中の紙葉類の枚数が前記集積部の最大集積枚数に達した場合には、前記集積部への紙葉類の集積を停止して、前記複数集積部のうち紙葉類を集積可能な別の集積部で紙葉類の集積を継続することにより前記バッチ枚数分の紙葉類を集積することを特徴とする。
【００１０】
また、本発明は、上記発明において、前記制御部は、集積停止枚数の指定を受け付けて、紙葉類を集積している集積部で集積中の紙葉類の枚数が前記集積停止枚数に達した場合には、前記集積部への紙葉類の集積を停止して、前記集積部から集積中の紙葉類が抜き取られると再び前記集積部を紙葉類の集積先として利用することを特徴とする。
【００１１】
また、本発明は、上記発明において、前記集積部に集積する紙幣に関する情報を表示する表示部をさらに備え、複数集積部を利用してバッチ処理を実行する際に、前記複数集積部のそれぞれから前記集積停止枚数の紙幣を抜き取った抜取回数を示す情報を前記表示部に表示することを特徴とする。
【００１２】
また、本発明は、上記発明において、前記制御部は、紙葉類を集積している集積部で、集積中の紙葉類の枚数が前記集積部の最大集積枚数に達する前に、集積中の紙葉類が抜き取られた場合には、前記集積部への紙葉類の集積を停止せずに連続して行うことを特徴とする。
【００１３】
また、本発明は、上記発明において、前記制御部は、集積部から紙葉類を抜き取る必要が生じた場合には、抜き取りが必要な前記集積部の位置を報知することを特徴とする。
【発明の効果】
【００１４】
本発明によれば、紙葉類処理装置の集積部に同時に集積可能な最大集積枚数を超える枚数をバッチ枚数として指定して、バッチ処理を開始してから集積部に集積した紙葉類の合計枚数がバッチ枚数に達するまで、集積部に連続して紙幣を集積することができる。例えば、ＡＴＭカセット等の収納容器に２０００枚の紙葉類を詰めるために、バッチ枚数を２０００枚として、最大集積枚数が５００枚の集積部でバッチ処理を開始して、集積部に集積中の紙葉類の枚数が５００枚に達するより前に、集積中の紙葉類を適宜集積部から抜き取ることにより、２０００枚の紙葉類を連続して集積部に集積させることができる。これにより、短時間で大量枚数の紙幣を準備して収納容器に詰めることができる。
【００１５】
また、本発明によれば、集積部に集積中の紙葉類の枚数が、集積部の最大集積枚数に達した場合には紙葉類の集積が一旦停止されるが、集積部から紙葉類を抜き取れば紙葉類の集積が自動的に再開されるので効率よく作業を進めることができる。
【００１６】
また、本発明によれば、紙葉類の集積に利用する集積部を複数指定することができる。例えば、バッチ枚数を２０００枚として、最大集積枚数の合計が２０００枚以上となるように複数の集積部を指定すれば、指定した複数集積部に順に紙葉類を集積することにより、バッチ枚数分の紙葉類の集積を、停止することなく連続して行うことができる。また、指定した複数集積部の最大集積枚数の合計がバッチ枚数に満たない場合でも、一つの集積部で集積中の紙葉類の枚数が最大集積枚数に達したら他の集積部で紙葉類の集積を続けて、この集積部へ紙葉類を集積している間に、満杯になった集積部から紙葉類を抜き取ることにより、満杯だった集積部を、再度紙葉類の集積に利用可能な状態とすることができる。満杯になった集積部から適宜紙葉類を抜き取ることにより、バッチ枚数分の紙葉類の集積を停止することなく連続して行うことができる。
【００１７】
また、本発明によれば、最大集積枚数まで紙葉類を集積すると紙葉類が多すぎて掴み難くなるような場合に、バッチ枚数とは別に、集積停止枚数として紙葉類の集積枚数を指定することができる。例えば、バッチ枚数を２０００枚として、最大集積枚数が５００枚の集積部でバッチ処理を行う場合に、集積停止枚数を２５０枚とすれば、集積部に集積中の紙葉類の枚数が２５０枚に達すると集積が停止される。これにより、集積部に集積中の紙葉類の枚数が２５０枚に達するより前に、集積中の紙葉類を適宜集積部から抜き取ることにより、２０００枚の紙葉類を連続して集積部に集積させることが可能であり、かつ、抜き取りを忘れた場合でも、集積中の紙葉類の枚数が２５０枚に達すると集積が停止されるので紙葉類を掴んで抜き取る作業を容易に行うことができる。
【図面の簡単な説明】
【００１８】
【図１】図１は、本実施形態に係る紙幣処理装置で行うバッチ処理の概要を説明するための模式図である。
【図２】図２は、本実施形態に係る紙幣処理装置の外観を示す斜視図である。
【図３】図３は、紙幣処理装置の内部構成概略を示す断面模式図である。
【図４】図４は、紙幣処理装置の機能構成概略を示すブロック図である。
【図５】図５は、８つの集積部を有する紙幣処理装置の内部構成概略を示す断面模式図である。
【図６】図６は、バッチ処理用の集積設定の例を示す図である。
【図７】図７は、バッチ処理設定の例を示す図である。
【図８】図８は、バッチ処理の流れを示すフローチャートである。
【図９】図９は、大束を準備する際に使用する集積パターンの例を示す図である。
【図１０】図１０は、大束を準備する紙幣処理時に表示される画面例を示す図である。
【図１１】図１１は、大束情報入力画面の例を示す図である。
【発明を実施するための形態】
【００１９】
以下に、添付図面を参照して、本発明に係る紙葉類処理装置について詳細に説明する。紙葉類処理装置では、小切手、商品券、紙幣等の紙葉類を処理対象とすることができるが、本実施形態では、紙幣を処理対象とする紙幣処理装置を例に説明する。
【００２０】
まず、紙幣処理装置で行う処理の概要について説明する。図１は、本実施形態に係る紙幣処理装置で行うバッチ処理の概要を説明するための模式図である。紙幣処理装置は、内部に紙幣を集積する集積部６０を有し、集積部６０内に集積された紙幣は開口から抜き取り可能となっている。紙幣処理装置でバッチ処理を行う際には、集積部６０に同時に集積することができる紙幣の最大集積枚数（以下「ハードフル枚数」と記載）を超える枚数を、バッチ枚数として指定することができる。
【００２１】
また、バッチ処理を短時間で効率よく行うため、紙幣処理装置の利用者は、集積部６０へ紙幣を集積している途中、いつでも集積部６０に集積中の紙幣を開口から抜き取ることができる。具体的には、紙幣処理装置では、集積部６０に集積中の紙幣の集積枚数がハードフル枚数に達すると集積部６０への紙幣の集積を停止するようになっているが、集積部６０の集積枚数がハードフル枚数に達するより前に、集積部６０に集積中の紙幣を適宜抜き取ることにより、集積部６０への紙幣の集積を停止することなく連続して大量枚数の紙幣を集積できるようになっている。
【００２２】
バッチ処理で集積部６０に集積する紙幣の金種や正損等の紙幣の種類と、紙幣の集積に利用する集積部６０と、バッチ枚数とを指定して、バッチ処理を開始する。バッチ処理を開始すると、紙幣処理装置は、受入部に載置された複数の紙幣を１枚ずつ装置内に取り込んで搬送し、識別部によって識別計数する。そして、識別結果に基づいて、バッチ処理の対象として指定された種類の紙幣を、指定された集積部６０に集積する。
【００２３】
ハードフル枚数が５００枚の集積部６０で、図１に示すように、紙幣１００ｃを集積している途中で、集積部６０から集積済みの紙幣１００ｂを抜き取ると、紙幣の集積は停止されずに継続され、紙幣１００ｃ、紙幣１００ｄと連続して紙幣が集積される。すなわち、紙幣処理装置では、集積部６０に集積中の紙幣の集積枚数がハードフル枚数に達しないように適宜紙幣を抜き取ることにより、集積部６０へ集積した紙幣の合計枚数がバッチ枚数に達するまで、連続して集積部６０に紙幣を集積させることができる。
【００２４】
紙幣の合計枚数がバッチ枚数に達したか否かの判定は、バッチ処理開始後に集積部６０に集積した紙幣の合計枚数に基づいて行われる。すなわち、バッチ処理開始後に集積部６０から抜き取られた抜き取り済みの紙幣の枚数（抜取枚数）と、集積部６０に集積中の紙幣の枚数（集積枚数）との合計枚数に基づいて判定される。例えば、図１に示す例では、バッチ処理開始後に集積部６０から抜き取られた紙幣１００ａの枚数と、集積部６０内にある紙幣１００ｂ〜１００ｄの集積枚数との合計枚数がバッチ枚数に達すると、紙幣処理装置は集積部６０への集積を停止してバッチ処理を完了する。
【００２５】
なお、集積部６０から既に抜き取られた紙幣の枚数を含めて、バッチ処理開始後に集積部６０に集積された紙幣の合計枚数がバッチ枚数に達してバッチ処理を完了する場合の他、集積部６０に集積中の紙幣の集積枚数がハードフル枚数に達した場合には、これ以上の紙幣を集積できないため、紙幣処理装置は、集積部６０への紙幣の集積を一旦停止する。この場合、紙幣の集積を停止した集積部６０から紙幣が抜き取られると、紙幣処理装置は、集積部６０に設けた抜取検知センサによってこの抜き取りを検知して、集積部６０への紙幣の集積を再開する。
【００２６】
また、紙幣処理装置では、集積部６０への紙幣の集積を停止する条件として集積停止枚数を設定することも可能となっている。例えば、ハードフル枚数分の紙幣が同時に集積されると紙幣を掴んで抜き取る作業を行い難い場合は、紙幣を容易に掴むことができる枚数を集積停止枚数として設定する。集積停止枚数は、ハードフル枚数及びバッチ枚数とは別に設定することができる。
【００２７】
具体的には、バッチ枚数を２０００枚と指定して、ハードフル枚数が５００枚の集積部６０でバッチ処理を行う際に、２５０枚以上の束になると紙幣を掴むのが難しい場合は、集積停止枚数を２５０枚に設定する。この結果、紙幣処理装置は、集積部６０に集積中の紙幣の枚数が２５０枚に達すると紙幣の集積を停止して、集積部６０から紙幣が抜き取られると再び集積を開始するという動作を繰り返す。そして、紙幣処理装置は、バッチ処理開始後に集積部６０から抜き取られた紙幣の抜取枚数と、集積部６０に集積中の紙幣の集積枚数との合計が、バッチ枚数の２０００数に達すると、集積部６０への集積を停止してバッチ処理を完了する。なお、集積停止枚数を設定した場合でも、集積部６０に集積中の紙幣の集積枚数が集積停止枚数に達する前に紙幣を抜き取れば、紙幣処理装置は、紙幣の集積を停止せずに継続する。また、集積停止枚数がハードフル枚数未満の枚数に限定されるものではなく、バッチ枚数未満の枚数であれば、ハードフル枚数を超える枚数を集積停止枚数として設定することも可能である。
【００２８】
図１では、バッチ枚数分の紙幣を１つの集積部６０に集積する例を示しているが、バッチ処理に利用する集積部６０の数は特に限定されない。具体的には、複数の集積部６０を利用してバッチ処理を実行することもできる。
【００２９】
例えば、各集積部６０のハードフル枚数の合計がバッチ枚数を超えるように複数の集積部６０を指定してバッチ処理を行う。具体的には、例えばバッチ枚数２０００枚のバッチ処理を行う場合には、ハードフル枚数が５００枚の集積部６０を４つ選択してもよいし、ハードフル枚数が５００枚の集積部２つとハードフル枚数が２００枚の集積部５つとを選択してもよい。こうして紙幣の集積先として複数の集積部６０を指定すれば、各集積部６０に順にハードフル枚数に達するまで紙幣を集積することにより、紙幣の集積を停止することなく連続してバッチ枚数２０００枚分全ての紙幣を集積することができる。
【００３０】
また、例えば、各集積部６０のハードフル枚数の合計によらず複数の集積部６０を指定してバッチ処理を行う。具体的には、例えばバッチ枚数２０００枚のバッチ処理を行う場合に、ハードフル枚数が５００枚の集積部６０を２つ選択してバッチ処理を開始する。この場合、紙幣処理装置は、紙幣の集積先として指定された２つの集積部６０のうち１つ目の集積部６０で紙幣の集積を開始して、１つ目の集積部６０で紙幣の集積枚数がハードフル枚数の５００枚に達すると、１つ目の集積部６０への紙幣の集積を停止して、２つ目の集積部６０で紙幣の集積を開始する。２つ目の集積部６０に紙幣を集積している間に１つ目の集積部６０から紙幣を抜き取ることにより、１つ目の集積部６０を紙幣の集積に利用可能な状態とすることができるので、２つ目の集積部６０で集積枚数がハードフル枚数に達した際には、２つ目の集積部６０への紙幣の集積を停止して、再度、１つ目の集積部６０へ紙幣を集積する。指定された複数の集積部６０のうち紙幣を集積可能な集積部６０へ紙幣を集積することにより、紙幣の集積を停止することなく連続してバッチ枚数２０００枚分全ての紙幣を集積することができる。
【００３１】
なお、集積部６０を３つ以上選択した場合にも、同様に、紙幣を集積している集積部６０が満杯になった場合には、この集積部６０への紙幣の集積を停止する一方で、紙幣を集積可能な別の集積部６０で紙幣の集積を開始することにより、紙幣の集積を連続して行うことができる。また、複数の集積部６０を利用してバッチ処理を行う場合でも、各集積部６０に対して集積停止枚数を設定することができる。
【００３２】
このように、紙幣処理装置では、集積部６０のハードフル枚数を超える紙幣枚数をバッチ枚数として指定してバッチ処理を実行することができる。バッチ処理の開始後、集積部６０に集積中の紙幣を適宜抜き取れば、この集積部６０への紙幣の集積を停止することなく継続することができる。すなわち、集積中の紙幣の枚数がハードフル枚数又は予め設定した集積停止枚数に達しない限り、集積部６０への紙幣の集積が停止されることはなく紙幣が連続して集積される。
【００３３】
また、紙幣処理装置では、集積中の紙幣の枚数が集積停止枚数又はハードフル枚数に達した場合に、紙幣を集積可能な別の集積部６０があればこの集積部６０で紙幣の集積を続けることができるし、別の集積部６０がなければ紙幣の集積を一旦停止するが、紙幣が抜き取られて紙幣を集積可能な状態になればすぐに紙幣の集積を再開する。そして、バッチ処理開始後に集積部６０から抜き取った紙幣の枚数である抜取枚数と、集積部６０に集積中の紙幣の枚数である集積枚数との合計、すなわちバッチ処理開始後に集積部に集積された紙幣の合計枚数が、バッチ枚数に達すると、集積部６０への紙幣の集積を停止してバッチ処理を完了する。
【００３４】
例えば、ＡＴＭで利用する所定種類の紙幣を２０００枚準備してＡＴＭ用のカセットに詰める場合に、紙幣の種類及びこの紙幣を集積する集積部６０を指定して、バッチ枚数を２０００枚としてバッチ処理を行えば、紙幣処理装置は、所定種類の紙幣２０００枚を、指定された集積部６０に集積してバッチ処理を完了する。紙幣処理装置の利用者は、集積部６０に集積された紙幣の枚数や、集積部６０から抜き取ってＡＴＭカセットに詰めた紙幣の枚数を確認する必要はなく、集積部６０に集積された紙幣をＡＴＭカセットに詰める作業を繰り返すだけで、所定種類の紙幣２０００枚をＡＴＭカセットに詰めることができる。また、集積部６０に集積されている紙幣を適宜抜き取ることにより、所定種類の紙幣が集積部６０へ連続して集積されるので、ＡＴＭ用の大量枚数の紙幣を短時間で効率よく準備することができる。
【００３５】
なお、抜取枚数と集積枚数との合計枚数がバッチ枚数に達したか否かの判定は、バッチ処理対象として指定された種類の紙幣であると識別されて集積部６０に集積された紙幣の枚数をカウントするトータルカウンタの数値に基づいて行うが、トータルカウンタの詳細については後述する。
【００３６】
また、集積部６０に集積中の紙幣の集積枚数が集積停止枚数に達したか否かの判定は、バッチ処理対象として指定された種類の紙幣であると識別されて集積部６０に集積された紙幣の枚数をカウントするソフトカウンタに基づいて行う。ソフトカウンタの数値は、抜取検知センサによって集積部６０からの紙幣の抜き取りを検知すると０（ゼロ）にリセットすることにより、集積部６０に集積中の紙幣の集積枚数を示すようになっているが、詳細については後述する。
【００３７】
また、集積枚数がハードフル枚数に達したか否かの判定は、ソフトカウンタの数値に基づいて行うこともできるし、集積部６０に設けられているフル検知センサによる検知結果に基づいて行うこともできる。
【００３８】
次に、本実施形態に係る紙幣処理装置の構成について説明する。図２は、本実施形態に係る紙幣処理装置１の外観を示す斜視図である。また、図３は、紙幣処理装置１の内部構成概略を示す断面模式図である。紙幣処理装置１は、複数の紙幣を載置可能な受入部１１と、受入部１１に載置された複数紙幣を１枚ずつ装置内へ取り込む取込部１０とを有する。装置前面には、設定操作や指示操作等を行う際に各種情報を入力するための操作部５１と、設定情報や処理結果等を確認する際に各種情報が表示される表示部５２とが設けられている。
【００３９】
図３に示すように、紙幣処理装置１の内部には、取込部１０で装置内に取り込んだ紙幣を搬送路に沿って搬送する搬送部７０と、搬送部７０によって搬送される紙幣を識別計数する識別部５５とが設けられている。
【００４０】
識別部５５は、搬送部７０によって搬送される紙幣の金種、新旧、方向、真偽、正損等を識別して計数する機能を有する。方向とは、紙幣の面（表裏）及び紙幣の向き（天地）を示す情報である。真偽とは、紙幣が真の紙幣（真券）であるか、偽の紙幣（偽券）であるかを示す情報である。正損とは、予め定められた所定条件に基づいて紙幣の傷み具合を判定した情報で、例えば市場で再使用する紙幣を正券、市場での再使用に適さない紙幣を損券とする。さらに、正券のうちＡＴＭでの使用に適した紙幣をＡＴＭフィット券、ＡＴＭフィット券に比べると傷んでいるが金融機関の窓口でテラーが使用可能な紙幣をテラーフィット券に分類することができる。
【００４１】
紙幣処理装置１には、２つのリジェクト部６５（６５ａ、６５ｂ）が設けられている。識別部５５による識別結果に基づいて、識別できない識別不能券、集積部６０（６０ａ〜６０ｄ）に集積する種類として指定されていない種類の紙幣である指定外券、明らかに偽の紙幣である偽券、偽券の疑いがあるが真偽を確定できないサスペクト券等がリジェクトされるが、これらのリジェクト紙幣を、第１リジェクト部６５ａ及び第２リジェクト部６５ｂにリジェクト原因別に分けて集積することができる。
【００４２】
紙幣処理装置１には４つの集積部６０が設けられている。識別部５５による識別結果に基づいて、指定外券等のリジェクト紙幣がリジェクト部６５に集積される一方で、集積部６０に集積するよう指定されている種類の紙幣は、指定券として各集積部６０に種類別に分類して集積される。バッチ処理で各集積部６０に集積する紙幣の種類は、予め設定できるようになっているが詳細は後述する。
【００４３】
図２に示すように、集積部６０は、前面に開口を有しており、紙幣処理装置１を利用する利用者は、集積部６０に集積された紙幣を開口から抜き取ることができる。また、装置前面には、第１集積部６０ａ〜第４集積部６０ｄのそれぞれに対応して、開口の上部に、紙幣の集積枚数に関する情報を表示するための集積情報表示部６２（６２ａ〜６２ｄ）が設けられている。また、開口の左側には、集積される紙幣の種類に関する情報表示及び設定操作を行うための集積設定操作表示部６３（６３ａ〜６３ｄ）が設けられている。
【００４４】
集積情報表示部６２には、各集積部６０に集積中の紙幣の集積枚数が表示されるが、各表示部の右側にある操作ボタンを操作することにより、表示内容を切り替えられるようになっている。具体的には、各集積部６０に集積中の紙幣の枚数を表示したり、各集積部６０から抜き取り済みの紙幣を含めて、バッチ処理開始後に各集積部６０に集積された紙幣の合計枚数を表示したりすることができる。
【００４５】
また、集積情報表示部６２での枚数の表示方法は、設定により変更することができる。例えば、バッチ枚数を１００枚として紙幣を集積する場合に、通常設定では、紙幣が集積される度に集積情報表示部６２に表示される枚数表示が１ずつカウントアップするようになっている。具体的には、集積枚数が９５枚に達して枚数表示を「９５」とした後、紙幣が１枚ずつ集積される度に、枚数表示が「９６」、「９７」、「９８」、「９９」と１ずつ増える。そして、集積枚数が１００枚に達して枚数表示が「１００」に更新されると、紙幣の集積を停止してバッチ処理を完了することになる。
【００４６】
これに対して、集積情報表示部６２の表示方法に係る設定を変更することにより、集積枚数が所定枚数に達した後は、集積枚数を示す数字を表示せずに、ピリオドやドット等の記号を表示して、集積枚数がバッチ枚数に達すると、再び集積枚数を示す数字を表示させることもできる。具体的には、９５枚の紙幣を集積して「９５」と表示した後、紙幣が１枚ずつ集積されるのに応じて「９６」〜「９９」の数字を表示するタイミングで、これらの数字に代えてドットマーク「・」を表示し、集積枚数が１００枚に達すると、再び数字で「１００」と表示する。すなわち、「９５」、「・」、「・」、「・」、「・」、「１００」と表示する。また、この他、「９５」と表示した後、「９６」〜「９９」の数字を表示するタイミングで、これらの数字に代えて「９５」の数字を表示した後、集積枚数が１００枚に達すると再び数字で「１００」と表示するように設定することもできる。すなわち、「９５」、「９５」、「９５」、「９５」、「９５」、「１００」と表示する。なお、集積情報表示部６２に、記号等、実際の紙幣の集積枚数とは異なる情報を表示する際には、紙幣処理に係るエラーが発生して紙幣処理を停止した場合、所定時間（例えば２秒間）経過しても集積部６０に紙幣が集積されない場合、集積部６０に集積中の紙幣が抜き取られた場合等、所定条件を満たしたタイミングで、集積情報表示部６２に表示する情報が実際の紙幣集積枚数を示す数字に戻るようになっている。
【００４７】
また、集積情報表示部６２の表示情報を更新するタイミングに係る設定を変更することもできる。例えば、識別部５５で、集積部６０に集積する９５枚目の紙幣が識別されたタイミングで、この集積部６０に対応する集積情報表示部６２に「９５」と表示させることもできるし、９５枚目の紙幣が識別された後さらに搬送部７０によって搬送されて集積部６０に集積されたタイミングで集積情報表示部６２に「９５」と表示させることもできる。また、９５枚目の紙幣が集積部６０に集積されるタイミングより数十ミリ秒前、数十ミリ秒後等、所定のタイミングで集積情報表示部６２に「９５」と表示させることもできる。
【００４８】
第１集積設定操作表示部６３ａ〜第４集積設定操作表示部６３ｄは、対応する第１集積部６０ａ〜第４集積部６０ｄに集積する紙幣の種類を表示するための表示部と、各表示部に表示されている紙幣の種類を変更するための操作ボタンとを有している。表示部には、通貨情報を表示する通貨情報表示部と、金種情報を表示する金種情報表示部と、正損情報を表示する正損情報表示部とが含まれる。例えば、第１集積部６０ａに、米国通貨の１ドル紙幣のＡＴＭフィット券を集積するよう設定されている場合に、図２に示すように、第１集積設定操作表示部６３ａの通貨情報表示部には「ＵＳＤ」と表示され、金種情報表示部には「＄１」と表示され、正損情報表示部にはＡＴＭフィット券であることを示す「Ａ−ＦＩＴ」の文字が表示される。
【００４９】
集積設定操作表示部６３で、通貨情報表示部の下にある操作ボタンを押すと、対応する集積部６０に集積する紙幣の通貨が変更される。同様に、金種情報表示部の下にある操作ボタンを押すと集積部６０に集積する紙幣の金種が変更され、正損情報表示部の下にある操作ボタンを押すと集積部６０に集積する紙幣の正損が変更される。
【００５０】
具体的には、例えば、通貨情報表示部の操作ボタンを押すと、米国通貨、日本通貨、ユーロ通貨及び不使用の４つの選択肢の間で設定を切り替えることができる。なお、米国通貨、日本通貨及びユーロ通貨の選択肢は、集積部６０に集積する通貨の種類を指定するためのもので、不使用の選択肢は、集積部６０に紙幣を集積しないことを指定するためのものである。操作ボタンを操作して通貨を選択した場合には、通貨に対応する「ＵＳＤ」、「ＪＰＹ」又は「ＥＵＲ」の文字が通貨情報表示部に表示される。また、操作ボタンを操作して不使用を選択した場合には、通貨情報表示部には文字が表示されない。
【００５１】
通貨情報表示部で米国通貨を選択した状態で金種情報表示部の操作ボタンを押すことにより、１００ドル、５０ドル、２０ドル、１０ドル、５ドル、２ドル、１ドルの間で金種を切り替えることが可能であり、金種情報表示部には切り替えられた金種に対応する「＄１００」等の文字が表示される。また、通貨情報表示部の操作ボタンを操作して通貨を日本通貨に切り替えると、通貨情報表示部には「ＪＰＹ」と表示され、金種情報表示部の操作ボタンを押すことにより、日本通貨の一万円、五千円、二千円、千円の間で金種を切り替えられるようになって、金種情報表示部には切り替えられた金種に対応する「￥１００００」等の文字が表示される。また、正損情報表示部の操作ボタンを押すことにより、ＡＴＭ用の正券であるＡＴＭフィット券、テラー用の正券であるテラーフィット券及び損券の３つの選択肢の間で正損を切り替えることが可能であり、正損情報表示部には切り替えられた正損に対応する「Ａ−ＦＩＴ」、「Ｔ−ＦＩＴ」又は「ＵＮＦＩＴ」の文字が表示される。
【００５２】
集積設定操作表示部６３は、既存の集積設定の変更及び新たな集積設定の作成に利用することができる。具体的には、操作部５１及び表示部５２を利用して、既存の集積設定を呼び出すと、この集積設定で各集積部６０に集積するよう設定されている紙幣の通貨、金種及び正損情報が、各集積部６０に設定されると共に、集積設定操作表示部６３に含まれる各表示部に表示される。この状態で集積設定操作表示部６３の操作ボタンを操作することにより、各集積部６０に集積する紙幣の通貨、金種及び正損を変更することができる。集積設定操作表示部６３の操作ボタンを操作して変更した内容は集積設定に反映され、紙幣処理を開始すると、各集積部６０には、表示部に表示されている通貨、金種及び正損の紙幣が集積されることになる。
【００５３】
また、予め記憶部に保存されている集積設定を呼び出して、集積設定操作表示部６３で各集積部６０に集積する紙幣の通貨、金種及び正損を変更した後、操作部５１で所定の操作を行うことにより、変更後の設定内容を新たな集積設定として登録することができる。変更後の集積設定を新たな集積設定として登録する操作を行うと、次回の処理からは、登録した集積設定を呼び出して利用することができる。
【００５４】
なお、図２では、集積設定操作表示部６３が、通貨情報表示部、金種情報表示部及び正損情報表示部を含み、操作ボタンによって通貨、金種及び正損の設定を変更可能な例を示したが、本実施形態がこれに限定されるものではない。例えば、通貨、金種及び正損のうち１つ又は２つのみについて情報表示及び設定変更を行う態様であってもよい。また、例えば、集積設定操作表示部６３によってバッチ枚数や集積停止枚数を設定可能な態様とすることもできる。具体的には、集積設定操作表示部６３が、バッチ枚数表示部及び集積停止枚数表示部と、これらに対応する操作ボタンとを含み、各集積部６０に集積する紙幣のバッチ枚数や集積停止枚数を変更可能な態様であってもよい。集積設定操作表示部６３に含まれる１つ又は複数の表示部に表示して、操作ボタンによって設定変更可能とする紙幣の種類や枚数等の内容は、設定により変更可能となっている。
【００５５】
図３に示すように、第１集積部６０ａ〜第４集積部６０ｄには、紙幣の抜き取りを検知するための抜取検知センサ７３（７３ａ〜７３ｄ）と、集積中の紙幣で満杯状態になったことを検知するためのフル検知センサ７４（７４ａ〜７４ｄ）とが設けられている。また、受入部１１には紙幣検知センサ７２が設けられ、受入部１１に紙幣が載置されたことや、受入部１１から全ての紙幣が装置内に繰り出されたことを検知することができる。また、図３には示していないが、リジェクト部６５にも紙幣検知センサが設けられており、リジェクト紙幣が集積されたことや、リジェクト紙幣が抜き取られたことを検知できるようになっている。
【００５６】
図３に示すように、搬送部７０には、紙幣を分岐するための複数の分岐部材７１が設けられている。また、搬送部７０には、搬送路を搬送される紙幣を検知するための複数の紙幣検知センサ７２が設けられている。識別部５５が紙幣の真偽や種類を識別した後、識別結果に基づいて、制御部５０が４つの集積部６０ａ〜６０ｄ及び２つのリジェクト部６５ａ、６５ｂの中から、紙幣を搬送して集積する集積先を決定する。そして、制御部５０が、紙幣検知センサ７２によって紙幣の搬送位置を検出しながら分岐部材７１による分岐動作を制御することにより、決定した集積先へ各紙幣を搬送して集積する。
【００５７】
また、図３に示すように、第１集積部６０ａ〜第４集積部６０ｄの内部には、ＬＥＤ（発光ダイオード）等の発光素子７５（７５ａ〜７５ｄ）が設けられている。例えば、バッチ処理を行う際には、このバッチ処理で紙幣の集積に利用する集積部６０内の発光素子７５が点灯する。これにより、紙幣処理装置１の利用者は、複数の集積部６０の中からバッチ処理中に紙幣が集積される集積部６０の位置を認識することができる。
【００５８】
また、集積部６０に集積中の紙幣の枚数が集積停止枚数に達した場合、ハードフル枚数に達した場合、バッチ枚数に達した場合等、集積部６０から紙幣を抜き取る必要が生じた場合には、この集積部６０内の発光素子７５が点滅するようになっている。このように、紙幣処理装置１では、紙幣の抜き取りが必要な集積部６０の位置が報知されるので、利用者は、紙幣の抜き取りが必要な集積部６０の位置を認識することができる。なお、紙幣の抜き取りが必要な集積部６０を報知する方法については、発光素子の点灯や点滅により行う他、表示部５２への情報表示によって行う態様であってもよいし、集積中の紙幣を開口側へ押し出す押出部材を集積部６０内に設けて、抜き取りが必要な紙幣を押出部材によって押し出すことにより行う態様であっても構わない。
【００５９】
図４は、紙幣処理装置１の機能構成概略を示すブロック図である。図４に示すように、紙幣処理装置１は、上述した構成に加えて、各部を制御する制御部５０と、制御部５０の動作に必要なプログラムや設定等の各種データを保存するための記憶部５６と、上位端末やサーバ等の外部装置との間で各種データを送受信するための通信部７６とを有している。紙幣処理装置１の各機能及び各動作は、制御部５０が、各種データを記憶部５６から読み出したり記憶部５６に保存したりしながら各部を制御することによって実現される。
【００６０】
紙幣処理装置１が有する集積部６０の数は特に限定されないが、図３に示す紙幣処理装置１は、４つの集積部６０を有する構成を基本ユニットとして、筐体右側の側面に、集積部６０を含む別ユニットを増設可能な構造を有している。図５は、８つの集積部６０（６０ａ〜６０ｈ）を有する紙幣処理装置１の内部構成概略を示す断面模式図である。
【００６１】
図５の例は、基本ユニットの右側に、第１集積部６０ａ〜第４集積部６０ｄと同一構造を有する４つの集積部６０ｅ〜６０ｈを含む増設ユニットを接続した状態を示している。増設ユニットを接続することにより、紙幣処理装置１では、第１集積部６０ａ〜第８集積部６０ｈに、紙幣を種類別に分類して集積できるようになる。なお、図５では符号を省略しているが、第５集積部６０ｅ〜第８集積部６０ｈにも、抜取検知センサ７３ｅ〜７３ｈ、フル検知センサ７４ｅ〜７４ｈ及び発光素子７５ｅ〜７５ｈが設けられている。
【００６２】
記憶部５６には、各集積部６０ａ〜６０ｈに集積する紙幣の種類やバッチ枚数等、バッチ処理を実行するために必要な情報を予め設定したバッチ処理用の集積設定が保存されている。以下では、図５に示すように、８つの集積部６０ａ〜６０ｈを有する紙幣処理装置１を例に、バッチ処理用の集積設定について説明する。
【００６３】
図６は、バッチ処理用の集積設定の例を示す図である。図６には、集積設定に含まれる集積パターンを１つだけ示しているが、集積設定には、複数の集積パターンを登録できるようになっている。紙幣処理装置１で、操作部５１及び表示部５２を利用して、図６に示すＮｏ．１の集積パターンを選択してバッチ処理を開始すると、制御部５０は、選択された集積パターンに基づいてバッチ処理を実行する。
【００６４】
集積パターンは、Ｎｏ．、通貨、金種、正損、集積部、バッチ枚数、集積停止枚数の項目を含んでいる。Ｎｏ．の項目は、各集積パターンを区別するために付与された識別番号を示している。通貨、金種及び正損の項目は、それぞれバッチ処理で集積部６０に集積する紙幣の通貨、金種及び正損を示している。なお、正損の項目にある「Ｔ−ＦＩＴ」はテラーが利用するのに適したテラーフィット券を示し、「Ａ−ＦＩＴ」はＡＴＭでの利用に適したＡＴＭフィット券を示している。この他、正損の項目では、損券を示す「ＵＮＦＩＴ」を指定することもできる。
【００６５】
集積部の項目は、バッチ処理で紙幣の集積に利用する集積部６０を示している。集積部の項目では、１つ又は複数の集積部６０を指定することができる。バッチ枚数の項目は、バッチ処理で集積する紙幣の合計枚数を示しており、集積部６０のハードフル枚数を超える枚数を指定できるようになっている。
【００６６】
集積停止枚数の項目は、集積部の項目で指定した各集積部６０で紙幣の集積を停止させたい紙幣の集積枚数を示している。例えば、集積停止枚数の項目を２５０枚と設定すると、ハードフル枚数が５００枚の集積部６０でも、集積中の紙幣の集積枚数が２５０枚に達したところで紙幣の集積が停止される。なお、集積停止枚数を設定しなければ、ハードフル枚数に達するまで紙幣が集積される。また、集積部の項目で複数の集積部６０を設定した場合には、各集積部６０に異なる集積停止枚数を設定することもできる。
【００６７】
図５に示す紙幣処理装置１で、図６に示すＮｏ．１の集積パターンを選択すると、制御部５０は、第１集積部６０ａ〜第３集積部６０ｃを利用して米国＄２０（２０ドル紙幣）のテラーフィット券を１５００枚集積するバッチ処理と、第４集積部６０ｄ及び第５集積部６０ｅを利用して米国＄２０のＡＴＭフィット券を２０００枚集積するバッチ処理と、第６集積部６０ｆ及び第７集積部６０ｇを利用して米国＄１０のＡＴＭフィット券を２０００枚集積するバッチ処理と、第８集積部６０ｈに米国＄５のＡＴＭフィット券を２０００枚集積するバッチ処理とを、並行して実行する。
【００６８】
複数種類の紙幣を含む混合状態で紙幣を受入部１１に載置してバッチ処理を開始すると、受入部１１の紙幣が１枚ずつ装置内に繰り出されて識別部５５によって識別される。そして、米国＄２０のテラーフィット券であれば第１集積部６０ａ〜第３集積部６０ｃのいずれかに集積し、米国＄２０のＡＴＭフィット券であれば第４集積部６０ｄ又は第５集積部６０ｅに集積し、米国＄１０のＡＴＭフィット券であれば第６集積部６０ｆ又は第７集積部６０ｇに集積し、米国＄５のＡＴＭフィット券であれば第８集積部６０ｈに集積する。
【００６９】
図６に示すＮｏ．１の集積パターン２段目で設定されている＄２０のＡＴＭフィット券については、第４集積部６０ｄで紙幣の集積を開始する。そして、第４集積部６０ｄに集積中の紙幣の集積枚数が、集積停止枚数の２５０枚に達した場合には、第４集積部６０ｄへの紙幣の集積が停止され、第５集積部６０ｅへの＄２０のＡＴＭフィット券の集積が開始される。第５集積部６０ｅへ紙幣を集積している間に、第４集積部６０ｄから２５０枚の紙幣が抜き取られると、第４集積部６０ｄは、再び紙幣の集積に利用可能な状態となる。第５集積部６０ｅの集積枚数が２５０枚に達すると、第５集積部６０ｅへの紙幣の集積が停止され、再び、第４集積部６０ｄへの紙幣の集積が再開される。このように、紙幣の集積先を、集積部の項目で指定された複数の集積部６０のうち紙幣を集積可能な集積部６０へ切り替えながら紙幣の集積を継続して、バッチ処理の開始後に第４集積部６０ｄから抜き取った紙幣、バッチ処理の開始後に第５集積部６０ｅから抜き取った紙幣、第４集積部６０ｄに集積中の紙幣、及び第５集積部６０ｅに集積中の紙幣の合計枚数がバッチ枚数の２０００枚に達すると、＄２０のＡＴＭフィット券の集積を停止してバッチ処理を完了する。すなわち、バッチ処理の開始後、第４集積部６０ｄに集積された＄２０のＡＴＭフィット券の枚数と、第５集積部６０ｅに集積された＄２０のＡＴＭフィット券の枚数との合計枚数が２０００枚に達するとバッチ処理を完了する。
【００７０】
図６に示すＮｏ．１の集積パターン３段目で設定されている＄１０のＡＴＭフィット券についても、同様に、第６集積部６０ｆ及び第７集積部６０ｇを利用してバッチ処理が行われ、２０００枚を集積してバッチ処理を完了する。
【００７１】
図６に示すＮｏ．１の集積パターン１段目で設定されている＄２０のテラーフィット券についても、同様に、第１集積部６０ａ〜第３集積部６０ｃを利用してバッチ処理が行われ、１５００枚を集積してバッチ処理を完了する。ただし、＄２０のテラーフィット券については集積停止枚数が指定されていないため、他のバッチ処理とは異なり、集積中の紙幣の集積枚数がハードフル枚数の５００枚に達しない限り、紙幣の集積は停止しない。
【００７２】
図６に示すＮｏ．１の集積パターン４段目に示す＄５紙幣については、第８集積部６０ｈのみを利用し、第８集積部６０ｈに集積中の＄５のＡＴＭフィット券の枚数が、集積停止枚数として設定された２５０枚に達しない限り、バッチ枚数の２０００枚に達するまで、紙幣の集積が連続して行われる。第８集積部６０ｈの集積枚数が２５０枚に達した場合には、他の集積部６０を利用できないため、紙幣の集積が一旦停止される。そして、第８集積部６０ｈから紙幣が抜き取られると、抜取検知センサ７３ｈによってこれを検知して、紙幣の集積が自動的に再開される。バッチ処理開始後に第８集積部６０ｈから抜き取った紙幣の抜取枚数と、第８集積部６０ｈに集積中の紙幣の集積枚数との合計枚数が、バッチ枚数の２０００枚に達すると、＄５のＡＴＭフィット券の集積を停止してバッチ処理を完了する。
【００７３】
なお、バッチ処理を行っている間に、受入部１１の紙幣が少なくなると、受入部１１に追加の紙幣を載置する。これにより、全てのバッチ処理が完了するまで、紙幣を識別して集積部６０へ集積する処理を継続することができる。全てのバッチ処理を完了すると、受入部１１からの紙幣の取り込みが自動的に停止される。
【００７４】
また、装置内に取り込んだ紙幣が、日本紙幣等、バッチ処理で集積部６０に集積する紙幣と異なる種類の紙幣である場合には、この紙幣はリジェクト部６５にリジェクトされる。また、バッチ処理を完了した紙幣である場合にも、この紙幣はリジェクト部６５へ搬送される。具体的には、例えば、図６に示すＮｏ．１の集積パターン１段目で設定されている＄２０のテラーフィット券のバッチ処理を完了した後、装置内に取り込まれた紙幣が米国＄２０のテラーフィット券であった場合には、この紙幣はリジェクト部６５へリジェクトされる。
【００７５】
このように、紙幣処理装置１では、予め準備されたバッチ処理の集積パターンを選択することにより、バッチ処理を実行するために必要な集積部やバッチ枚数等を一括して設定して、複数のバッチ処理を並行して実行することができる。
【００７６】
紙幣処理装置１では、図６に示すように、予め集積設定として準備されたバッチ処理の集積パターンを選択して複数のバッチ処理に係る設定を一括して行う他、１つのバッチ処理内容を設定したバッチ処理設定を、１つずつ選択することにもできる。また、選択したバッチ処理設定を集積パターンとして登録することも可能となっている。
【００７７】
図７は、バッチ処理設定の例を示す図である。紙幣処理装置１の記憶部５６には各通貨の各金種について、複数種類のバッチ処理設定が予め準備されている。操作部５１及び表示部５２を利用して、バッチ処理設定を選択する操作を開始すると、表示部５２の画面上には、バッチ処理の処理対象とする通貨、金種及び正損の指定を要求する紙幣選択画面が表示される。操作部５１を操作して、例えば、米国＄２０の紙幣を選択すると、これに対応するＮｏ．２０−１〜Ｎｏ．２０−３等のバッチ処理設定が表示部５２の画面上に表示される。
【００７８】
正損、集積部、バッチ枚数、集積停止枚数等の項目でバッチ処理の設定内容を確認して、Ｎｏ．２０−１のバッチ処理設定を選択すると、表示部５２の画面は、再び紙幣選択画面に戻る。ここで選択されたバッチ処理設定で設定された内容は、集積設定操作表示部６３の対応する表示部に表示される。続いて、紙幣選択画面で、再び米国＄２０の紙幣を選択すると、表示部５２の画面上には、選択可能なバッチ処理設定が表示される。
【００７９】
具体的には、先の操作で第１集積部６０ａ〜第３集積部６０ｃを利用するＮｏ．２０−１のバッチ処理設定を選択済みであり、第１集積部６０ａ〜第３集積部６０ｃを別のバッチ処理に利用することはできない。このため、画面上には、選択された米国＄２０について予め準備されているバッチ処理設定のうち、第１集積部６０ａ〜第３集積部６０ｃを利用しないＮｏ．２０−３等のバッチ処理設定が表示され、第１集積部６０ａ〜第３集積部６０ｃを利用するＮｏ．２０−１及びＮｏ．２０−２のバッチ処理設定は表示されない。
【００８０】
Ｎｏ．２０−３のバッチ処理設定を選択して、紙幣選択画面に戻り、続いて米国＄１０の紙幣を選択すると、既に選択したバッチ処理設定で紙幣の集積に利用するよう設定された第１集積部６０ａ〜第５集積部６０ｅを別のバッチ処理に利用することはできないため、画面上には、選択された米国＄１０紙幣について予め準備されているバッチ処理設定のうち、第１集積部６０ａ〜第５集積部６０ｅを利用しないＮｏ．１０−２等のバッチ処理設定が表示され、第４集積部６０ｄを利用するＮｏ．１０−１のバッチ処理設定は表示されない。こうして、バッチ処理の処理対象とする紙幣の種類を選択して、この紙幣について行うバッチ処理の設定を選択する操作を繰り返す。なお、操作を繰り返すうちにバッチ処理に利用可能な集積部６０がなくなった場合には、これを示す情報が表示部５２の画面上に表示される。
【００８１】
このように、紙幣処理装置１では、図７に示すように予め準備されたバッチ処理設定の中から複数を選択する際に、選択可能なバッチ処理設定のみが表示部５２の画面上に表示される。これにより、バッチ処理に利用する集積部６０が重複しないようにバッチ処理設定を選択することができる。
【００８２】
こうして、予め準備されている１つ又は複数のバッチ処理設定を選択することにより、紙幣処理装置１で、選択した複数のバッチ処理を並行して実行することができる。また、バッチ処理設定を選択して、必要に応じて集積設定操作表示部６３で設定を変更した後、操作部５１で所定の操作を行うことにより、選択したバッチ処理設定を、図６に示すように集積パターンとして登録することができる。集積パターンは、登録済みの集積パターンと識別するための番号（図６の「Ｎｏ．」）を付与して記憶部５６に保存される。次の処理からは、登録した集積パターンを呼び出すだけで複数のバッチ処理に係る設定を一括して行えるようになる。
【００８３】
次に、バッチ処理の流れについて説明する。紙幣処理装置１では、複数のバッチ処理を並行して実行可能であり、１つのバッチ処理で複数の集積部６０を利用して紙幣を集積することも可能であるが、以下では、説明を簡単にするため、１つのバッチ処理を１つの集積部６０を利用して行う場合を例に、処理の流れについて説明する。具体的には、集積停止枚数を２５０枚、バッチ枚数を２０００枚として、米国＄２０のＡＴＭフィット券を、ハードフル枚数が５００枚の第１集積部６０ａを利用して集積するバッチ処理を例に、処理の流れについて説明する。
【００８４】
図８は、バッチ処理の流れを示すフローチャートである。紙幣処理装置１で、表示部５２の情報を確認しながら操作部５１を操作してバッチ処理の処理内容を設定する。そして、受入部１１に複数の紙幣を載置してバッチ処理を開始すると、制御部５０は、紙幣の計数結果を示すカウンタをリセットする（ステップＳ１）。具体的には、バッチ処理開始後に第１集積部６０ａに集積された米国＄２０のＡＴＭフィット券の枚数を計数するトータルカウンタＣｔを０（ゼロ）にすると共に、第１集積部６０ａに集積中の米国＄２０のＡＴＭフィット券の集積枚数を計数するソフトカウンタＣｓを０（ゼロ）にする。
【００８５】
続いて、受入部１１の紙幣が１枚ずつ取込部１０によって装置内に取り込まれ、搬送部７０によって搬送路に沿って搬送され、識別部５５によって識別される（ステップＳ２）。識別部５５によって識別した結果、紙幣が第１集積部６０ａへ集積する紙幣、すなわち＄２０のＡＴＭフィット券であった場合には（ステップＳ３；Ｙｅｓ）、この紙幣を第１集積部６０ａに搬送して集積する（ステップＳ４）。第１集積部６０ａに紙幣を集積すると、制御部５０は、トータルカウンタＣｔ及びソフトカウンタＣｓをカウントアップする（ステップＳ５）。
【００８６】
なお、図８では第１集積部６０ａを利用したバッチ処理の流れを示しているため省略しているが、紙幣が第１集積部６０ａに集積する紙幣でない場合には（ステップＳ３；Ｎｏ）、紙幣の種類に応じて、リジェクト紙幣であればリジェクト部６５に集積して、他の集積部６０へ集積すべき紙幣であれば対応する集積部６０へ集積する処理が行われることになる。
【００８７】
続いて、制御部５０は、第１集積部６０ａの集積枚数を示すソフトカウンタＣｓの数値が、第１集積部６０ａの集積停止枚数として指定された２５０枚と一致するか否かを判定する（ステップＳ６）。ソフトカウンタＣｓの数値が２５０枚に達していない場合には（ステップＳ６；Ｎｏ）、続いて制御部５０は、ソフトカウンタＣｓの数値が、第１集積部６０ａのハードフル枚数５００枚と一致するか否かを判定する（ステップＳ７）。そして、ソフトカウンタＣｓの数値が５００枚に達していない場合には（ステップＳ７；Ｎｏ）、続いて制御部５０は、第１集積部６０ａに設けられているフル検知センサ７４ａが、第１集積部６０ａで紙幣が満杯状態になったことを検知したか否かを判定する（ステップＳ８）。
【００８８】
そして、フル検知センサ７４ａによる検知もされていない場合には（ステップＳ８；Ｎｏ）、続いて制御部５０は、第１集積部６０ａの抜取検知センサ７３ａによって、第１集積部６０ａからの紙幣の抜き取りが検知されたか否かを判定する（ステップＳ９）。
【００８９】
第１集積部６０ａで紙幣の抜き取りが検知されていない場合には（ステップＳ９；Ｎｏ）、続いて制御部５０は、バッチ処理開始後に第１集積部６０ａに集積された＄２０のＡＴＭフィット券の合計枚数を示すトータルカウンタＣｔの数値が、バッチ枚数の２０００枚と一致するか否かを判定する（ステップＳ１０）。そして、トータルカウンタＣｔの数値がバッチ枚数の２０００枚に達している場合には（ステップＳ１０；Ｙｅｓ）、第１集積部６０ａへの紙幣の集積を停止して、米国＄２０のＡＴＭフィット券のバッチ処理を完了する。一方、トータルカウンタＣｔの数値が２０００枚に達していない場合には（ステップＳ１０；Ｎｏ）、ステップＳ２に戻って処理を継続する。
【００９０】
第１集積部６０ａの抜取検知センサ７３ａによって、第１集積部６０ａで紙幣の抜き取りが検知された場合には（ステップＳ９；Ｙｅｓ）、制御部５０は、ソフトカウンタＣｓをリセットして０（ゼロ）にする（ステップＳ１３）。第１集積部６０ａから紙幣が抜き取られた場合には、第１集積部６０ａに集積中の紙幣の集積枚数を示すソフトカウンタＣｓをリセットするものである。そして、トータルカウンタＣｔの数値がバッチ枚数の２０００枚に達していれば（ステップＳ１０；Ｙｅｓ）、バッチ処理を完了して、達していなければ（ステップＳ１０；Ｎｏ）、ステップＳ２に戻って処理を継続する。
【００９１】
第１集積部６０ａに集積中の＄２０のＡＴＭフィット券の集積枚数を示すソフトカウンタＣｓの数値が集積停止枚数の２５０枚と一致した場合（ステップＳ６；Ｙｅｓ）、ソフトカウンタＣｓの数値がハードフル枚数の５００枚と一致した場合（ステップＳ７；Ｙｅｓ）、又は第１集積部６０ａのフル検知センサ７４ａによって第１集積部６０ａが紙幣で満杯状態になったことを検知した場合（ステップＳ８；Ｙｅｓ）には、制御部５０は、第１集積部６０ａへの集積を停止する（ステップＳ１１）。
【００９２】
第１集積部６０ａへの紙幣の集積を停止すると、第１集積部６０ａから紙幣が抜き取られるのを待つ待機状態となり（ステップＳ１２；Ｎｏ）、第１集積部６０ａの抜取検知センサ７３ａによって、第１集積部６０ａで紙幣の抜き取りを検知した場合には（ステップＳ１２；Ｙｅｓ）、制御部５０は、ソフトカウンタＣｓをリセットして０（ゼロ）にする（ステップＳ１３）。第１集積部６０ａから紙幣が抜き取られた場合には、第１集積部６０ａに集積中の紙幣の集積枚数を示すソフトカウンタＣｓをリセットするものである。そして、トータルカウンタＣｔの数値がバッチ枚数の２０００枚に達していれば（ステップＳ１０；Ｙｅｓ）、バッチ処理を完了して、達していなければ（ステップＳ１０；Ｎｏ）、ステップＳ２に戻って、紙幣を識別して集積する処理を再開する。
【００９３】
こうして、ソフトカウンタＣｓ及びトータルカウンタＣｔを利用しながら、＄２０のＡＴＭフィット券を第１集積部６０ａへ集積する処理を続けて、トータルカウンタＣｔの数値がバッチ枚数の２０００枚に達すると（ステップＳ１０；Ｙｅｓ）、第１集積部６０ａへの紙幣の集積を停止してバッチ処理を完了する。
【００９４】
このように、紙幣処理装置１では、バッチ処理を開始した後、バッチ処理の対象とする紙幣を集積している集積部６０で、集積中の紙幣の集積枚数が予め設定された集積停止枚数又はハードフル枚数に達した場合や、集積部６０が満杯になったことが検知された場合には、集積部６０への紙幣の集積を一旦停止する。そして、集積を停止した集積部６０からの紙幣の抜き取りを検知すると自動的に集積部６０への紙幣の集積を再開する。一方、集積部６０に集積中の紙幣を処理途中で適宜抜き取ることにより、集積中の紙幣の集積枚数が予め指定された集積停止枚数にもハードフル枚数にも達することなく、かつ、集積部６０が満杯になったことも検知されなければ、紙幣の集積を停止することなくバッチ枚数に達するまで連続して行うことができる。
【００９５】
なお、図８では、ソフトカウンタＣｓの数値に基づく判定（ステップＳ７）と、フル検知センサ７４ａによる検知結果に基づく判定（ステップＳ８）との両方で、第１集積部６０ａが集積中の紙幣で満杯になったことを検知する態様を示しているが、判定方法がこれに限定されるものではなく、いずれか一方の判定のみを行う態様であっても構わない。
【００９６】
また、バッチ枚数分の紙幣の集積先として複数の集積部６０を設定している場合には、集積部６０への集積を停止した際に（ステップＳ１１）、紙幣の集積先として別の集積部６０を選択して紙幣の集積を継続する点と、紙幣の集積を停止した集積部６０から紙幣が抜き取られると（ステップＳ１２）、ソフトカウンタＣｓをリセットして（ステップＳ１３）、その後すぐにはこの集積部６０で紙幣の集積を再開せずに、この集積部６０が紙幣の集積先として再び選択された際に紙幣の集積を再開する点（ステップＳ１０；Ｎｏ）とが異なるが、その他の処理については、複数集積部６０のそれぞれにおいて図８と同様の処理が行われる。また、複数のバッチ処理を並行して行う場合には、各バッチ処理が図８と同様に実行される。
【００９７】
なお、集積部６０に集積中の紙幣の集積枚数がハードフル枚数又は集積停止枚数に達するなどして紙幣を集積できなくなり、かつ、この紙幣を集積できる別の集積部６０もなくなった場合については、紙幣処理を停止する態様の他、集積部６０へ集積すべき紙幣をリジェクト部６５へ集積するようにして紙幣処理を継続する態様であってもよい。
【００９８】
具体的には、例えば、＄１０紙幣及び＄２０紙幣が混合された大量の紙幣を受入部１１に載置して、第１集積部６０ａに＄２０紙幣を集積するバッチ処理と、第２集積部６０ｂに＄１０紙幣を集積するバッチ処理とを並行して実行する際に、第１集積部６０ａが満杯になった場合には、第１集積部６０ａへの＄２０紙幣の集積を停止する。このとき、装置内で紙幣の搬送を停止して紙幣処理自体を停止すると、＄１０紙幣のバッチ処理も停止することになる。これに対して、紙幣処理装置１では、第１集積部６０ａに集積できなかった＄２０紙幣をリジェクト部６５に集積しながら、受入部１１から装置内に紙幣を取り込んで識別する紙幣処理を続けることにより、第１集積部６０ａで＄２０紙幣の集積を停止した後も、第２集積部６０ｂでは＄１０紙幣を集積するバッチ処理を継続して行うこともできる。
【００９９】
満杯になった第１集積部６０ａから＄２０紙幣を抜き取って紙幣を集積可能な状態とすれば、紙幣処理装置１では、第１集積部６０ａへの＄２０紙幣の集積が再開され、再び、＄２０紙幣のバッチ処理と＄１０紙幣のバッチ処理とを並行して実行することができる。第１集積部６０ａが満杯であったためにリジェクト部６５に集積された＄２０紙幣については、再度、受入部１１に載置すればよい。例えば、紙幣処理装置１では、一方のリジェクト部６５ａに偽券等のリジェクト紙幣を集積して、他方のリジェクト部６５ｂに、第１集積部６０ａに集積できなかった＄２０紙幣を集積することができる。第１集積部６０ａに集積可能な＄２０紙幣のみをリジェクト部６５ｂから抜き取って受入部１１に載置するようにすれば、リジェクト紙幣の再処理を回避することができる。
【０１００】
このように、紙幣処理装置１では、集積先がなくなったバッチ処理対象の紙幣をリジェクト部６５に集積しながら紙幣処理を継続することができるので、並行して実行する複数のバッチ処理の１つで集積部６０に紙幣を集積できない状態となった場合でも、他のバッチ処理を継続することができる。これにより大量枚数の紙幣を準備する紙幣処理を短時間で完了することができる。
【０１０１】
次に、図２及び図３に示すように４つの集積部６０（６０ａ〜６０ｄ）を有する紙幣処理装置１を利用して大束を準備する場合を例に、具体的な紙幣処理について説明する。所定枚数（例えば１００枚）の紙幣をまとめたものが小束であり、小束を複数まとめたものが大束である。
【０１０２】
米国通貨の＄２０紙幣を対象として、ＡＴＭフィット券の大束、テラーフィット券の大束及び損券の大束を準備するものとする。ＡＴＭフィット券及びテラーフィット券については、１００枚の小束、２０束分から成る２０００枚の大束を準備し、損券については、１００枚の小束、２０束分から成る２０００枚の大束を準備するものとする。
【０１０３】
図９は、大束を準備する際に使用する集積パターンの例を示す図である。上述したように、操作部５１を操作して、図９に示す集積パターンを設定する。このとき、バッチ枚数の項目で大束の紙幣枚数を指定して、集積停止枚数の項目で小束の紙幣枚数を指定する。図９に示す集積パターンで紙幣処理を実行することにより、＄２０紙幣から成るＡＴＭフィット券の大束、テラーフィット券の大束及び損券の大束を準備する３つのバッチ処理を、１台の紙幣処理装置１で並行して実行することができる。
【０１０４】
図９に示す集積パターンで紙幣処理を開始すると、表示部５２の画面上に、各集積部６０に集積する紙幣の情報が表示される。図１０は、大束を準備する紙幣処理時に表示される画面例を示す図である。
【０１０５】
画面上には、４つの集積部６０を示す情報が表示され、この情報の下側に、各集積部に集積する紙幣の種類を示す情報が表示される。例えば、第１集積部６０ａが「Ｓｔａｃｋｅｒ１」と表示され、第１集積部６０ａに集積する＄２０のＡＴＭフィット券が「＄２０−ＡＴＭ」と表示される。第２集積部６０ｂについても同様に「Ｓｔａｃｋｅｒ２」、「＄２０−ＡＴＭ」と表示される。第３集積部６０ｃについては「Ｓｔａｃｋｅｒ３」と表示され、第３集積部６０ｃに集積する＄２０のテラーフィット券が「＄２０−ＴＬＲ」と表示される。第４集積部６０ｄについては「Ｓｔａｃｋｅｒ４」と表示され、第４集積部６０ｄに集積する＄２０の損券が「＄２０−ＵＦＴ」と表示される。
【０１０６】
図１０に示すように、画面上側には「Ｂａｎｋｎｏｔｅｓ」と表示された矩形２０１内に、各集積部６０に集積中の紙幣の枚数を示す情報が表示される。矩形２０１の左側には、小束に対応する紙幣枚数の目盛り２０２が表示される。具体的には、０枚、５０枚、１００枚の目盛り２０２が表示され、各集積部への集積状況を確認できるようになっている。矩形２０１は、第１集積部６０ａ〜第４集積部６０ｄの配置に合わせて、４つの枠に分割される。
【０１０７】
例えば複数枚の＄２０紙幣を、紙幣処理装置１の取込部１０に載置して処理を開始すると、各紙幣が識別計数され、正損の状態に応じて、対応する集積部６０に集積される。各集積部６０に集積された紙幣の枚数に応じて、図１０に示す画面が更新される。矩形２０１内では、各集積部６０に対応する枠内に、１枚の紙幣を示すライン２０４と、１０枚の紙幣を示すブロック２０５とが画像で表示される。各枠内の右上部には、紙幣枚数を示す数値２０３が表示される。紙幣の集積枚数が１枚増えるのに合わせて画面上のライン２０４の数が１本ずつ増えて、紙幣枚数が１０枚に達すると、それまでに表示した９本のライン２０４に代えて１つのブロック２０５が表示されるようになっている。紙幣枚数を示す数値２０３は、紙幣枚数に合わせてカウントアップされる。例えば、第４集積部６０ｄに１３枚の紙幣を集積した段階で、図１０に示すように、１０枚の紙幣を示す１つのブロック２０５と、３枚の紙幣を示す３本のライン２０４とが表示される。同じ枠内の右上部には、集積中の紙幣の枚数を示す「１３」の数値２０３が表示される。
【０１０８】
第３集積部６０ｃに集積された紙幣の集積枚数が小束枚数（集積停止枚数）である１００枚に達すると、第３集積部６０ｃへの紙幣の集積が停止される。このとき、画面上には、図１０に示すように、１００枚の紙幣を示す１０個のブロック２０６が表示される。小束を準備可能な紙幣枚数に達したことが分かるように、小束枚数に達した集積部６０のブロック２０６と、小束枚数に達していない集積部６０のブロック２０５とが、異なる色で表示されるようになっている。
【０１０９】
利用者が、第３集積部６０ｃから１００枚の紙幣を抜き取ると、抜取検知センサがこれを検知して、紙幣の集積が自動的に再開される。一方、画面上では、紙幣の抜取に合わせて、第３集積部６０ｃに対応する矩形２０１の枠内で紙幣枚数２０３の数値が０（ゼロ）になり、紙幣を示すライン２０４及びブロック２０５の画像が消える。紙幣の集積が再開され、第３集積部６０ｃに紙幣が集積されると、再び集積された紙幣の枚数に合わせて画面が更新される。このとき、画面下側でも、１００枚の紙幣が抜き取られて１つの小束が準備されたことが分かるように画面が更新される。
【０１１０】
図１０に示すように、画面下側には「Ｂｕｎｄｌｅｓ」と表示された矩形２０７内に、各集積部６０から抜き取った小束の数を示す情報が表示される。矩形２０７の左側には、作成済みの小束数の数を示す０束、５束、１０束の目盛り２０８が表示され、小束の準備状況を確認できるようになっている。
【０１１１】
小束数を示す矩形２０７は、バッチ処理を実行する集積部の配置に合わせて３つの枠に分割される。具体的には、図９に示す集積パターンでは、第１集積部６０ａ及び第２集積部６０ｂの２つの集積部を使用して１つのバッチ処理が実行される。このため、図１０に示すように、画面上側の矩形２０１内で第１集積部６０ａを示す枠と第２集積部６０ｂを示す枠とに対応する領域が、画面下側の矩形２０７内では１つの枠で表示される。すなわち、各集積部６０に集積中の紙幣枚数を示す矩形２０１は集積部６０の数に合わせて分割され、バッチ処理用に作成された小束数を示す矩形２０７はバッチ処理の数に合わせて分割される。
【０１１２】
集積部６０内の紙幣枚数が小束枚数の１００枚に達して紙幣の集積が停止され、利用者が、集積部６０から１００枚の紙幣を抜き取ると、集積部６０に対応する枠内に、小束１束に対応する１つのブロック２０９が追加される。
【０１１３】
例えば、図１０は、第３集積部６０ｃで準備済みの小束の数が１２束で、集積部内に現在１００枚の紙幣を集積中であることを示している。利用者が第３集積部６０ｃから１００枚の紙幣を抜き取ると、第３集積部６０に対応する矩形２０７の枠内でブロック２０９が１つ追加され、小束数を示す数値が「１２」から「１３」に更新される。すなわち、矩形２０７内では、各集積部６０から小束枚数（集積停止枚数）に達した紙幣を抜き取った抜取回数が、ブロック２０９及び数値で表示される。
【０１１４】
第１集積部６０ａ及び第２集積部６０ｂについては、２つの集積部を利用して、１つのバッチ処理を実行する。このため、第１集積部６０ａに集積された＄２０のＡＴＭフィット券の枚数が小束枚数の１００枚に達すると、第１集積部６０ａでは紙幣の集積を停止して、第２集積部６０ｂで＄２０のＡＴＭフィット券の集積を開始する。利用者が第１集積部６０ａから１００枚の紙幣を抜き取ると、小束数を示す矩形２０７内に、第１集積部６０ａ及び第２集積部６０ｂに対応して設けられた枠内で、小束１束を示す１つのブロックが追加され、小束数を示す数値がカウントアップされる。同様に、第２集積部６０ｂに集積された＄２０のＡＴＭフィット券の枚数が小束枚数の１００枚に達すると、第２集積部６０ｂでは紙幣の集積を停止して、紙幣が抜き取られて空になった第１集積部６０ａで＄２０のＡＴＭフィット券の集積を再開する。利用者が第２集積部６０ｂから１００枚の紙幣を抜き取った場合も、矩形２０７内の第１集積部６０ａ及び第２集積部６０ｂに対応する枠内で、小束１束を示す１つのブロックが追加され、小束数を示す数値がカウントアップされる。
【０１１５】
紙幣の集積停止と再開とを繰り返しながら集積部６０から抜き取った１００枚の紙幣で小束を準備し、紙幣処理を開始してから集積部６０に集積された紙幣枚数が大束枚数に達するとバッチ処理を終了する。
【０１１６】
例えば、図９に示すように、＄２０のＡＴＭフィット券については、第１集積部６０ａ及び第２集積部６０ｂを利用して、１００枚の小束によって２０００枚の大束を準備するよう設定されている。すなわち、１００枚の紙幣から成る小束２０束によって大束を準備するよう設定されている。このため、第１集積部６０ａ及び第２集積部６０ｂを利用して２０束の小束を準備し終えると、大束の準備を完了したものとして、図１０に示すように、小束数を示すブロック２１０が、大束枚数に達していない集積部６０のブロック２０９と異なる色で表示される。利用者は、画面上の表示に基づいて、第１集積部６０ａで大束の準備を終えたことを認識することができる。
【０１１７】
第１集積部６０ａ及び第２集積部６０ｂでバッチ処理を終えた後も、第３集積部６０ｃ及び第４集積部６０ｄでは大束を準備し終えるまで紙幣の集積が継続して行われる。これらの集積部６０でも、小束にした紙幣の枚数が、大束枚数（バッチ枚数）に達するとバッチ処理を完了する。
【０１１８】
大束の準備を終えると、表示部５２には、大束に関する情報の入力を求める画面が表示される。図１１は、大束情報入力画面の例を示す図である。第１集積部６０ａ及び第２集積部６０ｂを利用して＄２０紙幣ＡＴＭ券１００枚の小束２０束から成る大束を準備し終えると、図１１に示す画面が表示される。第１集積部６０ａ及び第２集積部６０ｂには、ＡＴＭフィット券を収納する設定としたため、画面上には、ＡＴＭに関する情報を入力する画面が表示される。利用者は、操作部５１を操作して、ＡＴＭを識別するＡＴＭ番号と、紙幣カセットを識別するカセット番号とを入力する。日時については自動的に入力される。利用者が、ＡＴＭ番号及びカセット番号を入力すると、紙幣処理装置１は、日時、ＡＴＭ番号及びカセット番号を記録して管理する。一方、第３集積部６０ｃで大束の準備を終えた場合は、テラーフィット券を収納する設定となっているため、銀行の名称、銀行を識別する銀行番号、銀行の支店を識別する支店番号等の入力を求める大束情報入力画面が表示される。第４集積部６０ｄで大束の準備を終えた場合も、予め準備した設定に基づく大束情報入力画面が表示される。どのような紙幣を処理した際に、どのような大束情報入力画面を表示するかは予め設定できるようになっている。大束情報入力画面を表示するタイミングについては、大束の準備を終えたタイミングに限定されるものではない。例えば、バッチ処理開始時等、所定タイミングで大束情報入力画面を表示するように設定することができる。
【０１１９】
図９〜図１１では、正損カテゴリ別に、複数の小束から大束を作成する場合について説明したが、金種別に大束を作成する場合、新旧別に大束を作成する場合についても、同様に行うことができる。
【０１２０】
上述してきたように、本実施形態に係る紙幣処理装置１によれば、バッチ処理を実行する際に、バッチ枚数として、集積部６０に同時に集積可能な紙幣の集積枚数を超える枚数を指定することができる。
【０１２１】
また、集積部６０に集積中の紙幣の集積枚数が集積部６０のハードフル枚数又は予め設定された集積停止枚数に達しない限り、集積部６０への紙幣の集積を連続して行うことができる。例えば、ＡＴＭカセット用の紙幣として、バッチ枚数を２０００枚と指定して、集積部６０から適宜紙幣を抜き取ってＡＴＭカセットに詰める作業を行えば、集積部６０に集積された紙幣の合計枚数が２０００枚に達するまで、紙幣の集積が停止することなく連続して行われるので、短時間で効率よくＡＴＭカセット用の紙幣を準備することができる。また、紙幣処理装置１の利用者は、集積部６０へ集積された紙幣を抜き取ってＡＴＭカセットに詰める作業を行うだけで、２０００枚ちょうどの紙幣をＡＴＭカセットに詰めることができる。利用者は、集積部６０から抜き取った紙幣の抜取枚数や、集積部６０に集積中の紙幣の集積枚数を記憶したり確認したりする必要がないので、ＡＴＭカセットに紙幣を詰める作業を容易に行うことができる。
【産業上の利用可能性】
【０１２２】
以上のように、本発明に係る紙葉類処理装置は、ＡＴＭカセットに詰める紙幣等、大量枚数の紙葉類を効率よく準備するために有用である。
【符号の説明】
【０１２３】
１  紙幣処理装置
１０  取込部
１１  受入部
５０  制御部
５１  操作部
５２  表示部
５５  識別部
５６  記憶部
６０、６０ａ〜６０ｈ  集積部
６２、６２ａ〜６２ｄ  集積情報表示部
６３、６３ａ〜６３ｄ  集積設定操作表示部
６５、６５ａ、６５ｂ  リジェクト部
７０  搬送部
７１  分岐部材
７２  紙幣検知センサ
７３、７３ａ〜７３ｈ  抜取検知センサ
７４、７４ａ〜７４ｈ  フル検知センサ
７５、７５ａ〜７５ｈ  発光素子
７６  通信部
【図１】
2017059222.tif 000003
【図２】
2017059222.tif 000004
【図３】
2017059222.tif 000005
【図４】
2017059222.tif 000006
【図５】
2017059222.tif 000007
【図６】
2017059222.tif 000008
【図７】
2017059222.tif 000009
【図８】
2017059222.tif 000010
【図９】
2017059222.tif 000011
【図１０】
2017059222.tif 000012
【図１１】
2017059222.tif 000013